(57)【要約】【課題】空調機に接続された給気ダクトにおいて効果的に騒音を低減することができる局所空調ブースを提供する。【解決手段】空調機１２は、その天面に設けられた天面吹出口１４から空気を吹き出すように構成され、供給チャンバ１３は、その天面に設けられた天面導入口１５から、空調機１２が吹き出した空気を導入し、当該空気をブース本体の内部空間に向けて設けられた側面吹出口１８から内部空間に供給するように構成され、天面吹出口１４と天面導入口１５とは給気ダクト２０を介して連通され、給気ダクト２０は、平板状部材の組み合わせにより通気路の断面形状が矩形に構成されるとともに、天面吹出口１４及び天面導入口１５の直上から水平方向に延びてブース本体の天井面上を経由するように構成され、さらに、少なくとも天井面上を経由する部分に吹出側吸音部材４０が設けられている。【選択図】図２
2020143878.tif 000002
【特許請求の範囲】
【請求項１】
その外部空間と内部空間を隔離するブース本体と、前記内部空間に供給するための空気を吹き出す空調機と、前記空調機から吹き出される空気を前記内部空間に供給する供給チャンバを備えた局所空調ブースであって、
前記空調機及び前記供給チャンバは、前記ブース本体の側面に対してそれぞれ同一方向から面し、かつ、互いに近い位置に配置され、
前記空調機は、その天面に設けられた天面吹出口から空気を吹き出すように構成され、
前記供給チャンバは、その天面に設けられた天面導入口から、前記空調機が吹き出した空気を導入し、当該空気を前記ブース本体の内部空間に向けて設けられた側面吹出口から前記内部空間に供給するように構成され、
前記天面吹出口と前記天面導入口とは給気ダクトを介して連通され、
前記給気ダクトは、平板状部材の組み合わせにより通気路の断面形状が矩形に構成されるとともに、前記天面吹出口及び前記天面導入口の直上から水平方向に延びて前記ブース本体の天井面上を経由するように構成され、さらに、少なくとも前記天井面上を経由する部分に吹出側吸音部材が設けられていることを特徴とする局所空調ブース。
【請求項２】
前記吹出側吸音部材は、前記給気ダクトの内面のうち、通気方向視におけるその左側面及び右側面に設けられている請求項１に記載の局所空調ブース。
【請求項３】
前記吹出側吸音部材は、前記給気ダクトの内面のうち、その天面に設けられている請求項１又は２に記載の局所空調ブース。
【請求項４】
前記吹出側吸音部材は、前記給気ダクトの内面のうち、前記天面吹出口及び前記天面導入口と連通する部分以外の底面にも設けられている請求項３に記載の局所空調ブース。
【請求項５】
前記供給チャンバは、前記空調機が吹き出した空気に含まれる異物を捕捉するフィルタを備えている請求項１から４のいずれか一項に記載の局所空調ブース。
【請求項６】
前記内部空間の空気を吸い込む還気吸込口と前記空調機の側面に設けられた側面導入口を連通する還気ダクトが設けられている請求項１から５のいずれか一項に記載の局所空調ブース。
【請求項７】
前記還気ダクトは、平板状部材の組み合わせにより通気路の断面形状が矩形に構成されるとともに、前記還気吸込口を前記内部空間の底面近傍に有する上向きダクトと、前記上向きダクトと連通されるとともに、前記ブース本体の天井面上に配置された横向きダクトと、前記横向きダクトと前記側面導入口を連通する下向きダクトを有する請求項６に記載の局所空調ブース。
【請求項８】
前記横向きダクトは、通気方向の下流側の内面に吸込側吸音部材が設けられている請求項６又は７に記載の局所空調ブース。
【請求項９】
前記吸込側吸音部材は、前記横向きダクトの内面のうち、少なくとも通気方向視におけるその左側面及び右側面、又は、その天面及び底面に設けられている請求項８に記載の局所空調ブース。
【請求項１０】
前記平板状部材は、外面板と、内面板と、前記外面板及び前記内面板との間に備えられた断熱層とから構成されている請求項１から９のいずれか一項に記載の局所空調ブース。
【発明の詳細な説明】
【技術分野】
【０００１】
本発明は、その外部空間と内部空間を隔離するブース本体と、前記内部空間に供給するための空気を吹き出す空調機と、前記空調機から吹き出される空気を前記内部空間に供給する供給チャンバを備えた局所空調ブースに関する。
【背景技術】
【０００２】
高精密で安定性の高い空調が求められる生産設備において、各種装置が配置された空間の全体を空調する場合には、各種装置のうち最も高い精密性や安定性が要求される装置に応じた空調設備が必要となるため、設備投資が膨大となってしまう。そこで、全体空調のための過剰な設備投資を回避するために、要求される精密性や安定性に応じて局所的に精密性や安定性を確保するために局所空調ブースが用いられる。
【０００３】
このような局所空調ブースにおいても、精密性や安定性に応じて、例えば適当な温湿度に調節された所定量の空気を供給する空調機が設けられるのであるが、当該空調機と局所空調ブースのブース本体とは、個別に設置された後に可撓性の給気ダクト、例えばフレキシブルダクトによって接続される。
【０００４】
このようなフレキシブルダクトの一例として、特許文献１には、作業空間の現場で容易に実現することを目的に、当該ダクトが施工される壁面形状に倣わせることができる布製の袋状のダクトが開示されている。
【０００５】
ところで、空調機は送風機等の騒音源を有するため、この騒音が局所空調ブースのブース本体の内部空間に伝播される。また、フレキシブルダクトは蛇腹構造をしていることから、その内面が滑らかでないため気流による騒音が発生しやすく、また、圧力損失も大きい。フレキシブルダクトのダクト壁自体の遮音性が低いため、フレキシブルダクトの外部空間の騒音がダクト壁を介してフレキシブルダクト内に伝播されやすい。
【０００６】
これら騒音は、ブース本体の内部空間に設置された装置等に悪影響を及ぼす虞がある。そこで騒音を低減する消音器を導入することが考えられる。しかし、空調機と局所空調ブースとの間に消音器を設置するスペースを確保したり、消音器をフレキシブルダクトに接続したり、消音器を固定したりする方策が必要であり、設計や施工が煩雑となる。
【先行技術文献】
【特許文献】
【０００７】
【特許文献１】特開２０１３−５０２５０号公報
【発明の概要】
【発明が解決しようとする課題】
【０００８】
本発明は上記実情に鑑みてなされたものであって、空調機に接続された給気ダクトにおいて効果的に騒音を低減することができる局所空調ブースを提供することを目的とする。
【課題を解決するための手段】
【０００９】
上述の目的を達成するための本発明に係る局所空調ブースの特徴構成は、その外部空間と内部空間を隔離するブース本体と、前記内部空間に供給するための空気を吹き出す空調機と、前記空調機から吹き出される空気を前記内部空間に供給する供給チャンバを備えた局所空調ブースであって、前記空調機及び前記供給チャンバは、前記ブース本体の側面に対してそれぞれ同一方向から面し、かつ、互いに近い位置に配置され、前記空調機は、その天面に設けられた天面吹出口から空気を吹き出すように構成され、前記供給チャンバは、その天面に設けられた天面導入口から、前記空調機が吹き出した空気を導入し、当該空気を前記ブース本体の内部空間に向けて設けられた側面吹出口から前記内部空間に供給するように構成され、前記天面吹出口と前記天面導入口とは給気ダクトを介して連通され、前記給気ダクトは、平板状部材の組み合わせにより通気路の断面形状が矩形に構成されるとともに、前記天面吹出口及び前記天面導入口の直上から水平方向に延びて前記ブース本体の天井面上を経由するように構成され、さらに、少なくとも前記天井面上を経由する部分に吹出側吸音部材が設けられている点にある。
【００１０】
上述の構成によると、空調機及び供給チャンバは、ブース本体の側面に対してそれぞれ同一方向から面し、かつ、互いに近い位置に配置されることから、空調機及び供給チャンバを設置するスペースを広く確保する必要がない。給気ダクトは、平板状部材の組み合わせにより通気路の断面形状が矩形に構成されていることから、従来は局所空調ブースにおける空調機とブース本体との接続に用いられてきたフレキシブルダクトに比べて、内面が滑らかであるため気流による騒音が発生しにくく、また、圧力損失も少ない。なお、本発明に係る用語「ブース」は、部屋やチャンバなどと読み替えることができる。
【００１１】
空調機の天面吹出口から伝播される騒音は、空調機の天面吹出口から吹き出された空気が給気ダクトのうちブース本体の天井面上を経由する部分を通る際に、そこに設けられた吹出側吸音部材によって低減される。その際、給気ダクトは、天面吹出口から天面導入口まで最短距離で接続されるのではなく、天面吹出口から天面導入口に至るまでに、ブース本体の天井面上を経由させることによって経路が長く確保されるため、より騒音の低減の効果が高い。供給ダクトを長く確保する際に、ブース本体の天井面上を利用することから供給ダクトを設置するためのスペースを別に確保する必要がない。
【００１２】
また、従来のようにフレキシブルダクトに加えて消音器を設ける構成では、消音器を設置するスペースを確保したり、消音器をフレキシブルダクトに接続したり、消音器を固定したりする方法を考慮する必要があった。しかし、給気ダクトは、内面に吹出側吸音部材が設けられていると、給気ダクトの内面に吹出側吸音部材が設けられていることから、給気ダクトとは別に消音器を設ける必要がないため、上記の問題が回避され、工期の短縮も可能である。
【００１３】
本発明においては、前記吹出側吸音部材は、前記給気ダクトの内面のうち、通気方向視におけるその左側面及び右側面に設けられていると好適である。
【００１４】
上述の構成によると、吹出側吸音部材が給気ダクトの内面のうち、通気方向視におけるその左側面及び右側面に設けられていることから、水平方向に延びる給気ダクト内を流れる空気は、特に給気ダクトの経路が曲がる部分で、左側面ないし右側面に配置された吹出側吸音部材によって効果的に吸音される。
【００１５】
本発明においては、前記吹出側吸音部材は、前記給気ダクトの内面のうち、その天面に設けられていると好適である。
【００１６】
上述の構成によると、吹出側吸音部材が給気ダクトの内面のうち、その天面に設けられていることから、空調機の天面吹出口から上方に吹き出される空気が給気ダクトに沿って水平方向へと曲がる際に吹出側吸音部材によって吸音される。
【００１７】
本発明においては、前記吹出側吸音部材は、前記給気ダクトの内面のうち、前記天面吹出口及び前記天面導入口と連通する部分以外の底面にも設けられていると好適である。
【００１８】
上述の構成によると、吹出側吸音部材が給気ダクトの内面のうち、前記天面吹出口及び前記天面導入口と連通する部分以外の底面にも設けられていることから、底面においても吸音される。
【００１９】
本発明においては、前記供給チャンバは、前記空調機が吹き出した空気に含まれる異物を捕捉するフィルタを備えていると好適である。
【００２０】
上述の構成によると、フィルタによって空調機が吹き出した空気に含まれる異物を補足することができるため、ブース本体の内部空間に清浄な空気を供給することができる。
【００２１】
本発明においては、前記内部空間の空気を吸い込む吸込口と前記空調機の側面に設けられた側面導入口を連通する還気ダクトが設けられていると好適である。
【００２２】
上述の構成によると、空調機によって温湿度調節が行われた空気を還気ダクトによって回収し再びブース本体に供給することができるため、常時ブース本体の外部空間から取り込んだ空気の温湿度調節をする構成に比べて、ランニングコストを低減することができる。
【００２３】
本発明においては、前記還気ダクトは、前記還気吸込口を前記内部空間の底面近傍に有する上向きダクトと、前記上向きダクトと連通されるとともに、前記ブース本体の天井面上に配置された横向きダクトと、前記横向きダクトと前記側面導入口を連通する下向きダクトを有すると好適である。
【００２４】
横向きダクトが、ブース本体の内部空間に配置されていると、横向きダクトによる直接的な騒音の伝播や、直接的な熱交換が生じるため、ブース本体の内部空間に設置された装置等に悪影響を及ぼす虞がある。
【００２５】
これに対して、上述の構成によると、横向きダクトを、ブース本体の天井面上に配置することによって、横向きダクトによる直接的な騒音の伝播や、直接的な熱交換が発生しないので、上記のような悪影響を回避することができる。
【００２６】
上向きダクトは底面近傍に吸込口を有することから、吸込口に向かう気流が下向きとなるため、重力によってブース本体の内部空間の底面に向かって落ちる塵などを巻き上げてしまう虞が少ない。
【００２７】
下向きダクトは、上向きダクト及び横向きダクトを介して流れてきた空気を、空調機の側面吸込口に案内することができる。
【００２８】
本発明においては、前記横向きダクトは、通気方向の下流側の内面に吸込側吸音部材が設けられていると好適である。
【００２９】
上述の構成によると、吸込側吸音部材が横向きダクトのうち通気方向の下流側の内面に設けられていることから、横向きダクトの通気方向の下流側に位置する空調機から横向きダクトの内部において上流側に向かって伝播される騒音を効果的に吸音することができる。
【００３０】
本発明においては、前記吸込側吸音部材は、前記横向きダクトの内面のうち、少なくとも通気方向視におけるその左側面及び右側面、又は、その天面及び底面に設けられていると好適である。
【００３１】
上述の構成によると、吸込側吸音部材が、横向きダクトの内面のうち、少なくとも通気方向視におけるその左側面及び右側面、又は、その天面及び底面に設けられていることから、空調機から横向きダクトの内部において上流側に向かって伝播される騒音を、より効果的に吸音することができる。
【００３２】
本発明においては、前記平板状部材は、外面板と、内面板と、前記外面板及び前記内面板との間に備えられた断熱層とから構成されていると好適である。
【００３３】
給気ダクトや還気ダクトを構成する平板状部材に、断熱層が備えられていることから、ブース本体の外部空間の温度や騒音が、給気ダクトや還気ダクトを介して、ブース本体の内部空間に伝熱、伝播される影響が低減される。
【図面の簡単な説明】
【００３４】
【図１】本発明に係る局所空調ブースの説明図
【図２】局所空調ブースが備える給気ダクトの説明図
【図３】局所空調ブースが備える還気ダクトの説明図
【図４】局所空調ブースの平面図
【図５】図６におけるＣ−Ｃ線矢視図
【図６】図４におけるＡ−Ａ線矢視図
【図７】図４におけるＢ−Ｂ線矢視図
【図８】給気ダクトの詳細図
【図９】図８におけるＤ−Ｄ線矢視図
【図１０】図８におけるＥ−Ｅ線矢視図
【図１１】別実施形態に係る給気ダクトの、図８におけるＤ−Ｄ線矢視図に対応する詳細図
【図１２】別実施形態に係る給気ダクトの、図８におけるＥ−Ｅ線矢視図に対応する詳細図
【図１３】別実施形態に係る給気ダクトの、図８におけるＤ−Ｄ線矢視図に対応する詳細図
【図１４】別実施形態に係る給気ダクトの、図８におけるＥ−Ｅ線矢視図に対応する詳細図
【図１５】別実施形態に係る局所空調ブースの平面図
【図１６】別実施形態に係る給気ダクト及び還気ダクトの平面図
【発明を実施するための形態】
【００３５】
以下に、本発明に係る局所空調ブースの実施形態について、図面を参照しながら説明をする。
【００３６】
図１には、高精密で安定性の高い空調が求められる生産設備における局所空調ブース１０が示されている。
【００３７】
局所空調ブース１０は、その外部空間と内部空間を隔離するブース本体１１と、ブース本体１１の内部空間に供給するための空気を吹き出す空調機１２と、空調機１２から吹き出される空気を内部空間に供給する供給チャンバ１３を備えている。
【００３８】
ブース本体１１は、その外部空間と内部空間を隔離する筐体から構成され、当該筐体の内部空間に高精密で安定性の高い空調が要求される各種装置が設置される。
【００３９】
図１及び図４に示すように、空調機１２は、ブース本体１１の四隅のうち一隅に設けられた設置スペースに設置されている。供給チャンバ１３は、空調機１２に隣り合うように設置されている。空調機１２及び供給チャンバ１３は、ブース本体１１の側の面が面一となるように配置されている。
【００４０】
図１、図２及び図４から図７に示すように、空調機１２の筐体の天面に設けられた天面吹出口１４と、供給チャンバ１３の筐体の天面に設けられた天面導入口１５とは給気ダクト２０を介して連通されている。
【００４１】
図１、図３から図７に示すように、空調機１２の筐体の側面下方に設けられた側面吸込口１６には、ブース本体１１の内部空間の空気を還気させる還気ダクト３０の還気口３８が接続されている。
【００４２】
空調機１２は、その筐体の内部に送風機を備え、当該送風機の駆動によって、筐体の側面下方に設けられた側面吸込口１６から吸い込んだ空気を、天面吹出口１４から吹き出すように構成されている。その際、空調機１２は、ブース本体１１の内部空間に求められる条件に応じて、温湿度が調節されるとともに、所定風量の空気を吹き出すように構成されている。
【００４３】
供給チャンバ１３は、天面導入口１５から、空調機１２が吹き出した空気を筐体の内部に導入し、当該筐体の内部に設けられたフィルタ１７によって空気に含まれる異物を捕捉したのち、その筐体の側面に設けられた側面吹出口１８からブース本体１１の内部空間に吹き出すように構成されている。
【００４４】
図２及び図５に示すように、給気ダクト２０は、天面吹出口１４の直上から、同一水平面内において、ブース本体１１の方向へと延び、そこから直角に曲がって空調機１２から見た供給チャンバ１３の方向へと延び、そこから再び直角に曲がって供給チャンバ１３の天面導入口１５の直上まで延びるように構成されている。すなわち、給気ダクト２０は、平面視においてコ字状に構成され、天面吹出口１４及び天面導入口１５の直上から水平方向に延びてブース本体１１の天井面上を経由するように構成されている。
【００４５】
空調機１２の設置スペースに対する、当該空調機１２の投影形状が長方形である場合は、空調機１２を、その短手方向がブース本体１１と平行となるように設ける。これによって、空調機１２は、その長手方向がブース本体１１へ向かうことから、天面吹出口１４の直上からブース本体１１までの距離を長くすることができ、その分だけ後述する吹出側吸音部材４０を多く設けることができる。
【００４６】
図１、図３、図４から図７に示すように、ブース本体１１の内部空間のうち、空調機１２が対面する側面から最も遠い側面の隅部と、空調機１２が対面する側面から最も遠い側面との間に、四本の垂直姿勢の上向きダクト３１が設けられている。
【００４７】
各上向きダクト３１は、ブース本体１１の内部空間の底面近傍である下端に、内部空間の空気を吸い込む還気吸込口３２を有している。つまり、「上向き」とは、通気方向が上向きであることをいう。
【００４８】
ブース本体１１の天井面上には、空調機１２が対面する側面に連設された一対の側面のそれぞれと平行かつ水平姿勢の一対の合流ダクト３３が設けられている。
【００４９】
各合流ダクト３３は、それぞれ、四本の上向きダクト３１のうち二本の上向きダクト３１、具体的には空調機１２が対面する側面から最も遠い側面の隅部に設けられた上向きダクト３１と、空調機１２が対面する側面から最も遠い側面との間に設けられた上向きダクト３１とに連通されている。
【００５０】
各合流ダクト３３は、ブース本体１１の天井面上のうち、空調機１２が対面する側面側において、当該側面と平行かつ水平姿勢に配置された集合ダクト３４に連通している。
【００５１】
各合流ダクト３３及び集合ダクト３４は、ブース本体１１の天井面上に配置された横向きダクト３５を構成する。なお、「横向き」とは、通気方向が横向きであることをいう。
【００５２】
下向きダクト３６は、横向きダクト３５のうち集合ダクト３４の下面に設けられた連通穴３７の直下から、空調機１２の方向へと水平に延び、空調機１２が対面する側面において直角に曲がって下方へと延び、還気口３８において空調機１２の側面吸込口１６に連通されている。
【００５３】
すなわち、還気ダクト３０は、上向きダクト３１と、横向きダクト３５と、下向きダクト３６とから構成される。なお、上向きダクト３１、合流ダクト３３、集合ダクト３４、下向きダクト３６は、圧力損失の増大を防止する観点から下流側ほど断面積が大きく設定されていることが好ましい。
【００５４】
給気ダクト２０及び還気ダクト３０は、外面板と、内面板と、外面板及び内面板との間に備えられた断熱層とから構成される平板状部材を適宜組み合わせることによって、通気路の断面形状が矩形となるように構成されている。外面板及び内面板は、ステンレス鋼等の金属板から構成される。断熱層は、合成樹脂、ゴム、エラストマなどの中にガスを細かく分散させ、発泡状又は孔質形状に成形された発泡系の部材から構成されてもよいし、グラスウールなどの繊維系の部材から構成されてもよい。
【００５５】
少なくとも内面板のうち通気される空気との接触面となる面は滑らかに形成されており、給気ダクト２０及び還気ダクト３０は空気の通気抵抗の低減が図られている。
【００５６】
図２、図３及び図５に示すように、給気ダクト２０及び還気ダクト３０は、それぞれ内面に吸音部材（吹出側吸音部材４０、吸込側吸音部材４１）が設けられている。吸音部材は、合成樹脂、ゴム、エラストマなどの中にガスを細かく分散させ、発泡状又は孔質形状に成形された発泡系のものであってもよいし、グラスウールなどの繊維系のものであってもよい。
【００５７】
図８から図１０に示すように、給気ダクト２０においては、吹出側吸音部材４０が、給気ダクト２０の内面のうち、通気方向視におけるその左側面２０Ｌ及び右側面２０Ｒに設けられている。
【００５８】
空調機１２の天面吹出口１４から伝播される騒音は、空調機１２の天面吹出口１４から吹き出された空気が給気ダクト２０のうちブース本体１１の天井面上を経由する部分を通る際に、そこに設けられた吹出側吸音部材４０によって低減される。
【００５９】
吹出側吸音部材４０は、給気ダクト２０の内面のうち、通気方向視におけるその左側面２０Ｌ及び右側面２０Ｒに設けられていることから、水平方向に延びる給気ダクト２０内を流れる空気は、特に給気ダクト２０の経路が曲がる部分で、左側面２０Ｌないし右側面２０Ｒに配置された吹出側吸音部材４０によって効果的に吸音される。
【００６０】
図３及び図５に示すように、還気ダクト３０には、横向きダクト３５のうち、通気方向の下流側の内面のうち、通気方向視におけるその左側面３０Ｌ及び右側面３０Ｒに吸込側吸音部材４１が設けられている。
【００６１】
吸込側吸音部材４１が横向きダクト３５のうち通気方向の下流側の内面に設けられていることから、横向きダクト３５の通気方向の下流側に位置する空調機１２から横向きダクト３５の内部において上流側に向かって伝播される騒音を効果的に吸音することができる。
【００６２】
上述した実施形態においては、吹出側吸音部材４０は、給気ダクト２０の内面のうち、通気方向視におけるその左側面２０Ｌ及び右側面２０Ｒに設けられている構成について説明したが、これに限らない。
【００６３】
例えば、図１１及び図１２に示すように、吹出側吸音部材４０は、給気ダクト２０の内面のうち、その天面２０Ｔに設けられていてもよく、さらに、吹出側吸音部材４０は、給気ダクト２０の内面のうち、天面吹出口１４及び前記天面導入口１５と連通する部分以外の底面２０Ｂにも設けられていてもよい。なお、図１３及び図１４に示すように、給気ダクト２０の内面のうち、天面吹出口１４及び前記天面導入口１５と連通する部分以外の底面２０Ｂに吹出側吸音部材４０を設けない場合には、図１１及び図１２に示した例に比べて、天面２０Ｔに設ける吹出側吸音部材４０の厚みを増やしてもよい。
【００６４】
上述した実施形態においては、吸込側吸音部材４１は、横向きダクト３５のうち、通気方向の下流側の内面のうち、通気方向視におけるその左側面３０Ｌ及び右側面３０Ｒに設けられている構成について説明したが、これに限らない。
【００６５】
例えば、吸込側吸音部材４１は、還気ダクト３０を構成する横向きダクト３５、具体的には集合ダクト３４の、通気方向の下流側の内面のうち、通気方向視におけるその左側面３０Ｌ及び右側面３０Ｒに加えて、又は替えて、天面及び底面に設けられていてもよい。
【００６６】
上述した実施形態においては、空調機１２は、ブース本体１１の四隅のうち一隅に設けられた設置スペースに設置される構成について説明したが、これに限らない。図１５に示すように、空調機１２は、ブース本体１１の四隅のうち一隅の外側に設けられた設置スペースに設置されてもよい。この場合は、図１６に示すように、給気ダクト２０は、平面視においてＬ字状に構成される。
【００６７】
上述した実施形態は、いずれも本発明の一例であり、当該記載により本発明が限定されるものではなく、各部の具体的構成は本発明の作用効果が奏される範囲において適宜変更設計可能である。
【符号の説明】
【００６８】
１０    ：局所空調ブース
１１    ：ブース本体
１２    ：空調機
１３    ：供給チャンバ
１４    ：天面吹出口
１５    ：天面導入口
１６    ：側面吸込口
１７    ：フィルタ
１８    ：側面吹出口
２０    ：給気ダクト
２０Ｂ  ：底面
２０Ｌ  ：左側面
２０Ｒ  ：右側面
２０Ｔ  ：天面
３０    ：還気ダクト
３０Ｌ  ：左側面
３０Ｒ  ：右側面
３１    ：上向きダクト
３２    ：還気吸込口
３３    ：合流ダクト
３４    ：集合ダクト
３５    ：横向きダクト
３６    ：下向きダクト
３７    ：連通穴
３８    ：還気口
４０    ：吹出側吸音部材
４１    ：吸込側吸音部材
【図１】
2020143878.tif 000003
【図２】
2020143878.tif 000004
【図３】
2020143878.tif 000005
【図４】
2020143878.tif 000006
【図５】
2020143878.tif 000007
【図６】
2020143878.tif 000008
【図７】
2020143878.tif 000009
【図８】
2020143878.tif 000010
【図９】
2020143878.tif 000011
【図１０】
2020143878.tif 000012
【図１１】
2020143878.tif 000013
【図１２】
2020143878.tif 000014
【図１３】
2020143878.tif 000015
【図１４】
2020143878.tif 000016
【図１５】
2020143878.tif 000017
【図１６】
2020143878.tif 000018